(57)【要約】      （修正有）【課題】偽券が投入された場合、どの偽券がどの取引において投入された紙幣であったかを特定することができる現金取引装置を提供する。【解決手段】現金自動取引装置は、紙幣を外部から取り込む紙幣入出金部と、紙幣の真偽を鑑別すると共に記番号を読み取る鑑別部と、鑑別部により偽券と判断された紙幣の記番号を顧客に提示する明細票発行口及び操作表示部とを有する。投入された紙幣が偽券と判定された場合、偽券を偽券庫に保管し、偽造券発見時表示画面を操作表示部に表示する。取引の終了時、偽券と判定した紙幣の記番号を含む偽造券発見時明細表ＲＦ１を発行する。【選択図】図８
2015166906.tif 000002
【特許請求の範囲】
【請求項１】
紙幣を外部から取り込む入金部と、
前記紙幣の真偽を鑑別する鑑別部と、
前記紙幣の記番号を読み取る記番号読取部と、
前記鑑別部により偽券と判断された紙幣の記番号を顧客に提示する提示部と
を有する現金取引装置。
【請求項２】
前記提示部は、前記鑑別部により偽券と判断された紙幣の記番号を表示する表示部を有する
請求項１に記載の現金取引装置。
【請求項３】
前記提示部は、前記鑑別部により偽券と判断された紙幣の記番号を媒体に印字する印字部と、当該媒体を顧客に受け渡す媒体受渡部とを有する
請求項１に記載の現金取引装置。
【請求項４】
前記鑑別部により偽券と判断された紙幣の記番号を記録し保存する記番号記録部をさらに有する
請求項１に記載の現金取引装置。
【請求項５】
前記記番号記録部は、前記鑑別部により偽券と判断された紙幣の記番号を前記現金自動取引装置内の所定の電子記憶媒体に記憶する記憶部を有する
請求項４に記載の現金取引装置。
【請求項６】
前記記番号記録部は、前記鑑別部により偽券と判断された紙幣の記番号を紙葉状の媒体に印字する印字部を有する
請求項４に記載の現金取引装置。
【請求項７】
前記記番号記録部は、前記現金取引装置の外部に設けられた所定の記憶装置に前記記番号を記録し保存する
請求項４に記載の現金取引装置。
【請求項８】
前記提示部は、前記鑑別部により偽券と判断された紙幣の記番号を、前記現金取引装置を識別する装置識別情報と共に顧客に提示する
請求項１に記載の現金取引装置。
【請求項９】
前記提示部は、前記装置識別情報と、前記紙幣が偽券と判断された理由とを顧客に提示する
請求項８に記載の現金取引装置。
【請求項１０】
前記提示部は、前記装置識別情報を媒体に印字する印字部と、当該媒体を顧客に受け渡す媒体受渡部とを有する
請求項８に記載の現金取引装置。
【請求項１１】
前記装置識別情報は、前記現金取引装置に予め付された固有のシリアル番号である
請求項８に記載の現金取引装置。
【請求項１２】
前記装置識別情報は、前記現金取引装置が設置された施設において当該現金取引装置を管理する管理番号である
請求項８に記載の現金取引装置。
【請求項１３】
前記提示部は、前記鑑別部により偽券と判断された紙幣の記番号を、当該紙幣が偽券と判断された理由と共に顧客に提示する
請求項１に記載の現金取引装置。
【請求項１４】
前記提示部は、前記紙幣が偽券と判断された理由を媒体に印字する印字部と、当該媒体を顧客に受け渡す媒体受渡部とを有する
請求項１３に記載の現金取引装置。
【請求項１５】
前記鑑別部により偽券と判断された紙幣の記番号を、当該紙幣が偽券と判断された理由と共に記録する記番号記録部をさらに有する
請求項１３に記載の現金取引装置。
【請求項１６】
前記提示部は、紙幣が偽券と判断された理由を文章で顧客に提示する
請求項１３に記載の現金取引装置。
【請求項１７】
前記提示部は、紙幣が偽券と判断された理由を所定のコードで顧客に提示する
請求項１３に記載の現金取引装置。
【請求項１８】
前記鑑別部により偽券と判断された紙幣を収納する偽券庫をさらに有する
請求項１に記載の現金取引装置。
【発明の詳細な説明】
【技術分野】
【０００１】
本発明は現金取引装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金するようになされている。
【０００３】
現金自動取引装置としては、例えば顧客との間で紙幣の授受を行う紙幣入出金部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納する紙幣収納庫とを有するものがある。（例えば、特許文献１参照）。
【先行技術文献】
【特許文献】
【０００４】
【特許文献１】特開２０１０−１０８１６０号公報
【発明の概要】
【発明が解決しようとする課題】
【０００５】
そのような現金自動取引装置においては、偽券が特に複数の取引において投入された場合、どの偽券がどの取引において投入された紙幣であったかを特定することが望まれている。
【０００６】
本発明は以上の点を考慮してなされたもので、機能性を高め得る現金取引装置を提案しようとするものである。
【課題を解決するための手段】
【０００７】
かかる課題を解決するため本発明の現金取引装置においては、紙幣を外部から取り込む入金部と、紙幣の真偽を鑑別する鑑別部と、紙幣の記番号を読み取る記番号読取部と、鑑別部により偽券と判断された紙幣の記番号を顧客に提示する提示部とを設けるようにした。
【０００８】
この現金取引装置は、偽券の記番号を基に、偽券がどの取引において投入されたものであったかを特定させることができる。
【発明の効果】
【０００９】
本発明によれば、偽券の記番号を基に、偽券がどの取引において投入されたものであったかを特定させることができる。かくして本発明は、機能性を高め得る現金取引装置を実現できる。
【図面の簡単な説明】
【００１０】
【図１】現金自動取引装置の構成を示す斜視図である。
【図２】紙幣入出金機の構成を示す左側面図である。
【図３】入金処理手順を示すフローチャートである。
【図４】通常時表示画面を示す略線図である。
【図５】通常時明細票を示す略線図である。
【図６】通常時のジャーナル情報を示す略線図である。
【図７】第１の実施の形態による偽造券発見時表示画面を示す略線図である。
【図８】第１の実施の形態による偽造券発見時明細票を示す略線図である。
【図９】第１の実施の形態による偽造券発見時のジャーナル情報を示す略線図である。
【図１０】第２の実施の形態による偽造券発見時表示画面を示す略線図である。
【図１１】第２の実施の形態による偽造券発見時明細票を示す略線図である。
【図１２】第２の実施の形態による偽造券発見時のジャーナル情報を示す略線図である。
【図１３】第３の実施の形態による偽造券発見時表示画面を示す略線図である。
【図１４】第３の実施の形態による偽造券発見時明細票を示す略線図である。
【図１５】第３の実施の形態による偽造券発見時のジャーナル情報を示す略線図である。
【発明を実施するための形態】
【００１１】
以下、発明を実施するための形態（以下実施の形態とする）について、図面を用いて説明する。
【００１２】
［１．第１の実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行うようになされている。
【００１３】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に接客部３が設けられている。接客部３は、カード入出口４、入出金口５、操作表示部６、テンキー７及び明細票発行口８が設けられており、顧客との間で現金や明細票等を直接やり取りすると共に、取引に関する情報の通知や操作指示の受付を行うようになされている。
【００１４】
カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分であり、シャッタを駆動することにより開放又は閉塞する。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。明細票発行口８は、取引処理の終了時に取引内容等を印字した明細票を発行する部分である。因みに明細票発行口８の奥側には、明細票に取引内容等を印字する明細票処理部３０（図２）が設けられている。
【００１５】
筐体２内には、現金自動取引装置１全体を統轄制御する主制御部（図示しない）や、紙幣に関する種々の処理を行う紙幣入出金機１０や、ジャーナル部３２等が設けられている。
【００１６】
ジャーナル部３２は、例えばハードディスクドライブにより構成され、取引毎にその取引内容を記憶し、ジャーナル情報として保存する。
【００１７】
以下では、現金自動取引装置１のうち顧客が対峙する側を前側とし、その反対を後側とし、当該前側に対峙した顧客から見て左及び右をそれぞれ左側及び右側とし、さらに上側及び下側を定義して説明する。
【００１８】
［１−２．紙幣入出金機の内部構成］
紙幣入出金機１０は、図２に示すように、制御部１２が各部（紙幣入出金部１６、鑑別部１８、一時保留部２０、搬送部２４、紙幣収納庫２６及び偽券庫２８）を統轄制御する。
【００１９】
制御部１２は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部１３から所定のプログラムを読み出して実行することにより、各部を制御して入金取引や出金取引等の種々の処理を行う。また制御部１２は、現金自動取引装置１の外部に設けられ記憶部３６を有するホストコンピュータ３４と図示しないインタフェース部を介し接続されており、当該ホストコンピュータ３４と各種データのやりとりを行う。
【００２０】
記憶部１３は、鑑別部１８が紙幣を鑑別した鑑別結果及び紙幣の記番号の識別結果等を取引情報と合わせて記憶する。
【００２１】
また紙幣入出金機１０の内部には、上側に紙幣入出金部１６、紙幣の金種や真偽を判定すると共に紙幣に付された記番号を読み取り識別する鑑別部１８及び入金紙幣等を一時的に保留する一時保留部２０が設けられている。
【００２２】
搬送部２４は、図示しないローラやベルト等により、図中太線で示す搬送路に沿って長方形の紙幣を短辺方向に搬送する。搬送部２４は、鑑別部１８を前後方向に挿通させるように紙幣を搬送し、当該鑑別部１８の後側と一時保留部２０及び紙幣入出金部１６とをそれぞれ接続している。また搬送部２４は、鑑別部１８の前側と紙幣入出金部１６、紙幣収納庫２６及び偽券庫２８とを接続している。
【００２３】
鑑別部１８は、その内部で紙幣を搬送しながら、光学素子や磁気検出素子等を用いて当該紙幣の金種及び真偽、並びに損傷の程度等（正損）を鑑別し、その鑑別結果を制御部１２へ通知する。また鑑別部１８は、撮像した紙幣の画像データから、紙幣毎に付与されその紙幣の一面に予め印刷された英数字等で構成された紙幣識別情報である記番号を読み取り識別し、識別した字を識別結果として制御部１２へ通知する。これに応じて制御部１２は、取得した鑑別結果及び識別結果を取引情報と合わせて記憶部１３に記憶すると共に、鑑別結果及び識別結果に応じて紙幣の搬送先を変更する。
【００２４】
一時保留部２０は、入金時に顧客が紙幣入出金部１６へ投入した紙幣を一時的に保留し、鑑別部１８で本物の紙幣であると鑑別された正常券を入金が確定するまで一時的に保留する。
【００２５】
また紙幣入出金機１０の内部には、下側に正常券と判定された紙幣を格納する金種別の紙幣収納庫２６と、偽造券と判定された紙幣を格納する偽券庫２８とが設けられている。紙幣収納庫２６は、収納排出機構により、搬送部２４から搬送されてきた紙幣を取り込んで収納すると共に、収納されている紙幣を排出して搬送部２４へ供給する。
【００２６】
かかる構成において現金自動取引装置１は、鑑別部１８による紙幣の鑑別結果及び識別結果等をもとに主制御部（図示しない）及び制御部１２が各部を制御して、紙幣の入金処理を行う。
【００２７】
すなわち現金自動取引装置１は、入金取引時、顧客により操作表示部６を介して入金取引が選択され、さらに入出金口５に紙幣が投入されると、投入された紙幣を紙幣入出金部１６から１枚ずつ鑑別部１８に搬送する。ここで現金自動取引装置１は、鑑別部１８の鑑別結果及び識別結果に基づき正常券と判定された紙幣については一時保留部２０に搬送して一時的に収納する。一方で現金自動取引装置１は、偽造券と判定された紙幣については偽券庫２８へ搬送して収納する。その後顧客により入金金額が確定されると、現金自動取引装置１は一時保留部２０に収納している紙幣をその金種に応じて各紙幣収納庫２６へ搬送して保管する。このように現金自動取引装置１は、偽造券と判定された紙幣を、偽券庫２８へ搬送することにより、正常券とは分別して保管する。
【００２８】
［１−３．入金処理］
次に、現金自動取引装置１による入金処理の具体的な処理手順について、図３に示すフローチャートを用いて詳細に説明する。
【００２９】
紙幣入出金機１０の制御部１２は、操作表示部６を介して顧客により入金取引が選択されると、記憶部１３から入金処理プログラムを読み出して実行することにより入金処理手順ＲＴ１を開始し、ステップＳＰ１へ移る。
【００３０】
ステップＳＰ１において制御部１２は、カード入出口４のシャッタ及び入出金口５のシャッタを開き、各種カード及び紙幣の投入の催促を操作表示部６に表示し、カード及び紙幣の投入を受け付け、カード入出口４のシャッタ及び入出金口５のシャッタを閉じ、ステップＳＰ２へ移る。
【００３１】
ステップＳＰ２において制御部１２は、カードに記録された顧客の口座番号を図示しないカード処理部により特定し、ステップＳＰ３へ移る。
【００３２】
ステップＳＰ３において制御部１２は、紙幣入出金部１６から紙幣を鑑別部１８に搬送し、鑑別部１８において鑑別し鑑別結果を取得すると共に記番号を読み取り識別結果を取得し、ステップＳＰ４へ移る。
【００３３】
ステップＳＰ４において制御部１２は、鑑別部１８から取得した鑑別結果に基づき紙幣が正常券であるか否かを判定する。ここで肯定結果が得られると、制御部１２は紙幣を一時保留部２０へ搬送し、ステップＳＰ６へ移る。一方ステップＳＰ４において否定結果が得られると、このことは紙幣が偽造券であると鑑別されたことを示し、このとき制御部１２はステップＳＰ５へ移り紙幣を偽券庫２８へ搬送し、ステップＳＰ６へ移る。
【００３４】
ステップＳＰ６において制御部１２は、紙幣入出金部１６に投入された紙幣を全て鑑別したか否かを判定し、肯定結果が得られるまでステップＳＰ４〜ＳＰ６の処理を繰り返し、肯定結果が得られると、ステップＳＰ７へ移る。
【００３５】
ステップＳＰ７において制御部１２は、投入された紙幣の中に偽造券が存在したか否かを判定する。ここで否定結果が得られると、制御部１２はステップＳＰ８へ移り、図４に示す通常時表示画面ＤＮを操作表示部６に表示する。この通常時表示画面ＤＮは、顧客が入金した金額を示す通常時金額表示部ＢＡと、承諾ボタンＢ１と、入金取消ボタンＢ２と、顧客に明細票を受け取ることを促す通常時明細票催促表示部ＢＰとを有している。制御部１２は、顧客により承諾ボタンＢ１が選択されると、ステップＳＰ９へ移る。
【００３６】
ステップＳＰ９において制御部１２は、明細票処理部３０により明細票に印字を行い図５に示す通常時明細票ＲＮを明細票発行口８から発行し、ステップＳＰ１０へ移る。この通常時明細票ＲＮは、通常時取引内容印字部ＢＡＰを有し、当該通常時取引内容印字部ＢＡＰには、取引が行われた日付、顧客の氏名、顧客の口座番号、取引種別及び顧客が入金した金額が示されている。
【００３７】
ステップＳＰ１０において制御部１２は、ジャーナル部３２のジャーナル情報ＪＩに図６に示す通常時取引内容ＪＮを記憶させてステップＳＰ１８へ移り入金処理手順ＲＴ１を終了する。この通常時取引内容ＪＮは、通常時明細票ＲＮ（図５）における通常時取引内容印字部ＢＡＰと同様の内容が示されている。
【００３８】
一方ステップＳＰ７において肯定結果が得られると、このことは投入された紙幣の中に偽造券が存在したことを表し、このとき制御部１２はステップＳＰ１１へ移る。
【００３９】
ステップＳＰ１１において制御部１２は、図７に示す偽造券発見時表示画面ＤＦ１を操作表示部６に表示し、ステップＳＰ１２へ移る。この偽造券発見時表示画面ＤＦ１は、顧客が入金した金額と共に取引が成立した金額を示す偽造券発見時金額表示部ＦＡと、入金継続ボタンＢ３と、入金取消ボタンＢ４と、偽造券と鑑別された紙幣が偽券庫２８に離隔されたことを示す偽造券発見表示部ＦＲＤと、偽造券と鑑別された紙幣の金種、記番号及び枚数を示す偽造券内容表示部ＦＤＤと、顧客に明細票を受け取り窓口へ持って来るよう促す偽造券発見時明細票催促表示部ＦＰＤとを有している。
【００４０】
ステップＳＰ１２において制御部１２は、操作表示部６を介して顧客により入金継続ボタンＢ３が押下されたか又は入金取消ボタンＢ４が押下されたかを判定する。ここで入金継続ボタンＢ３が押下されると、このことは顧客が入金取引の継続を望んでいることを示し、このとき制御部１２はステップＳＰ１３へ移り、正常券のみを紙幣収納庫２６へ搬送すると共に正常券と判定された紙幣の合計金額分のみを顧客の口座へ入金し、ステップＳＰ１５へ移る。
【００４１】
一方ステップＳＰ１２において入金取消ボタンＢ４が押下されると、このことは顧客が入金取引の継続を望んでいないことを示し、このとき制御部１２はステップＳＰ１４へ移り、正常券のみを紙幣入出金部１６へ搬送して顧客へ返却し、ステップＳＰ１５へ移る。
【００４２】
ステップＳＰ１５において制御部１２は、カード入出口４からカードを排出して顧客に返却し、ステップＳＰ１６へ移る。
【００４３】
ステップＳＰ１６において制御部１２は、明細票処理部３０により明細票に印字を行い図８に示す偽造券発見時明細票ＲＦ１を明細票発行口８から発行し、ステップＳＰ１７へ移る。この偽造券発見時明細票ＲＦ１は、取引が行われた日付、顧客の氏名、顧客の口座番号、取引種別、顧客が入金した金額及び取引成立した金額が示された偽造券発見時取引内容印字部ＦＡＰと、偽造券と鑑別された紙幣が偽券庫２８に離隔されたことを示す偽造券発見印字部ＦＲＰと、偽造券と鑑別された紙幣の金種、記番号及び枚数を示す偽造券内容印字部ＦＤＰと、顧客に明細票を受け取り窓口へ持って来るよう促す偽造券発見時明細票催促印字部ＦＰＰとを有している。
【００４４】
ステップＳＰ１７において制御部１２は、ジャーナル部３２のジャーナル情報ＪＩに図９に示す偽造券発見時取引内容ＪＦ１を記憶させてステップＳＰ１８へ移り入金処理手順ＲＴ１を終了する。この偽造券発見時取引内容ＪＦ１は、偽造券発見時明細票ＲＦ１における偽造券発見時取引内容印字部ＦＡＰ及び偽造券内容印字部ＦＤＰと同様の内容が示されている。
【００４５】
顧客は、発行された偽造券発見時明細票ＲＦ１を持って窓口へ移動し係員に提示する。係員は現金自動取引装置１から顧客の紙幣を取り出し、法律又は銀行により決められた処置を行う。
【００４６】
［１−４．効果］
従来、例えば、現金自動取引装置が銀行の店舗外に設置されており、複数人の顧客により入金された紙幣が偽造券と判定されたが銀行内の窓口の係員に申告していない顧客が存在した場合、その後係員が現金自動取引装置から顧客の紙幣を取り出す際、当該顧客以外の他の顧客の取引において取り込まれた偽造券が混在している可能性がある。その場合、当該顧客により入金された紙幣を特定することが困難になってしまう。
【００４７】
また、偽造券と鑑別された紙幣が他の顧客のものと混在することを避けるために現金自動取引装置の取引を休止して偽造券を偽券庫に移動させる前の状態を保存する方法も考えられるが、その場合、現金自動取引装置の取引を休止している間は取引ができないため、顧客の利便性を著しく損なってしまう。
【００４８】
これに対し現金自動取引装置１は、鑑別部１８により偽造券と判定された紙幣の記番号を操作表示部６に表示させると共に、偽造券発見時明細票ＲＦ１に印字して媒体受渡部としての明細票発行口８から顧客に受け渡すようにした。これにより現金自動取引装置１は、顧客が持参した偽造券発見時明細票ＲＦ１に印字された記番号が印刷された紙幣を、偽券庫２８に取り込まれた紙幣から係員に選択させることにより、当該顧客が入金した紙幣を間違いなく取り出させることができる。
【００４９】
また現金自動取引装置１は、記番号記録部としてのジャーナル部３２のジャーナル情報ＪＩに記番号を記憶させて保存するようにした。これにより現金自動取引装置１は、顧客が偽造券発見時明細票ＲＦ１を紛失した場合であっても、ジャーナル部３２内のジャーナル情報ＪＩを参照させることにより、顧客が入金した紙幣を確実に取り出させることができる。
【００５０】
さらに現金自動取引装置１は、取引を休止させる必要がなくなるため、現金自動取引装置１がその間使用できなくなることを防ぎ、顧客の利便性を向上させることができる。
【００５１】
以上の構成によれば、現金自動取引装置１は、紙幣を外部から取り込む紙幣入出金部１６と、紙幣の真偽を鑑別すると共に記番号を読み取る鑑別部１８と、鑑別部１８により偽造券と判断された紙幣の記番号を顧客に提示する明細票発行口８及び操作表示部６とを設けるようにした。これにより現金自動取引装置１は、偽造券の記番号を基に、偽造券がどの取引において投入されたものあったかを特定させることができる。
【００５２】
［２．第２の実施の形態］
［２−１．現金自動取引装置の構成］
図１及び図２に示すように、第２の実施の形態による現金自動取引装置１０１は、第１の実施の形態による現金自動取引装置１と比べて、紙幣入出金機１１０の制御部１１２が紙幣入出金機１０の制御部１２と異なっているものの、それ以外は同様に構成されている。
【００５３】
紙幣入出金機１１０は紙幣入出金機１０と比べて、図１０に示す偽造券発見時表示画面ＤＦ１０１が偽造券発見時表示画面ＤＦ１（図７）と、図１１に示す偽造券発見時明細票ＲＦ１０１が偽造券発見時明細票ＲＦ１（図８）と、図１２に示す偽造券発見時取引内容ＪＦ１０１が偽造券発見時取引内容ＪＦ１（図９）とそれぞれ異なっている。
【００５４】
偽造券発見時表示画面ＤＦ１０１（図１０）、偽造券発見時明細票ＲＦ１０１（図１１）及び偽造券発見時取引内容ＪＦ１０１（図１２）は、偽造券発見時表示画面ＤＦ１（図７）、偽造券発見時明細票ＲＦ１（図８）及び偽造券発見時取引内容ＪＦ１（図９）と比べて、装置識別情報としての装置識別番号ＭＩＤが追加されている。この装置識別番号ＭＩＤは、現金自動取引装置毎に付され現金自動取引装置１０１を特定する固有のシリアル番号である。
【００５５】
紙幣入出金機１１０は、偽造券を発見すると、装置識別番号ＭＩＤを偽造券発見時表示画面ＤＦ１０１（図１０）に表示させ、偽造券発見時明細票ＲＦ１０１（図１１）に印字し、偽造券発見時取引内容ＪＦ１０１（図１２）に記憶させる。これにより紙幣入出金機１１０は、複数の現金自動取引装置１０１が設置されている銀行においても、偽造券と判断された紙幣が偽券庫２８に収納されている現金自動取引装置１０１を係員に容易に認識させることができる。
【００５６】
その他第２の実施の形態による現金自動取引装置１０１は、第１の実施の形態による現金自動取引装置１とほぼ同様の作用効果を奏する。
【００５７】
［３．第３の実施の形態］
［３−１．現金自動取引装置の構成］
図１及び図２に示すように、第３の実施の形態による現金自動取引装置２０１は、第１の実施の形態による現金自動取引装置１と比べて、紙幣入出金機２１０の制御部２１２が紙幣入出金機１０の制御部１２と異なっているものの、それ以外は同様に構成されている。
【００５８】
紙幣入出金機２１０は紙幣入出金機１０と比べて、図１３に示す偽造券発見時表示画面ＤＦ２０１が偽造券発見時表示画面ＤＦ１（図７）と、図１４に示す偽造券発見時明細票ＲＦ２０１が偽造券発見時明細票ＲＦ１（図８）と、図１５に示す偽造券発見時取引内容ＪＦ２０１が偽造券発見時取引内容ＪＦ１（図９）とそれぞれ異なっている。
【００５９】
偽造券発見時表示画面ＤＦ２０１（図１３）、偽造券発見時明細票ＲＦ２０１（図１４）及び偽造券発見時取引内容ＪＦ２０１（図１５）は、偽造券発見時表示画面ＤＦ１（図７）、偽造券発見時明細票ＲＦ１（図８）及び偽造券発見時取引内容ＪＦ１（図９）と比べて、偽造券判断理由ＲＳＦが追加されている。この偽造券判断理由ＲＳＦは、現金自動取引装置２０１の鑑別部１８において紙幣が偽造券と判断された理由が示されている。偽造券判断理由ＲＳＦは、「記番号が偽造券で使用された番号と同一である」や、「紙幣において本来存在するセキュリティ部分が存在しない」等がある。
【００６０】
紙幣入出金機２１０は、偽造券を発見すると、偽造券判断理由ＲＳＦを偽造券発見時表示画面ＤＦ２０１（図１３）に表示させ、偽造券発見時明細票ＲＦ２０１（図１４）に印字し、偽造券発見時取引内容ＪＦ２０１（図１５）に記憶させる。これにより紙幣入出金機２１０は、顧客が投入した紙幣が偽造券と判断された理由を係員が顧客に説明する際に、偽造券発見時明細票ＲＦ２０１に記載された偽造券判断理由ＲＳＦを手助けとさせることができる。また顧客も、自身が投入した紙幣が偽造券と判断された理由を提示してもらうことにより、納得感を得ることができる。
【００６１】
その他第３の実施の形態による現金自動取引装置２０１は、第１の実施の形態による現金自動取引装置１とほぼ同様の作用効果を奏する。
【００６２】
［４．他の実施の形態］
なお上述した第２の実施の形態においては、現金自動取引装置１０１毎に付された固有のシリアル番号を装置識別番号ＭＩＤとする場合について述べた。本発明はこれに限らず、現金自動取引装置１０１が設置された例えば銀行内において現金自動取引装置１０１を管理する管理番号を装置識別番号ＭＩＤとしても良い。要は偽造券が格納された現金自動取引装置１０１を係員が認識できれば良い。
【００６３】
また上述した第２の実施の形態においては、装置識別番号ＭＩＤを偽造券発見時表示画面ＤＦ１０１（図１０）に表示させ、偽造券発見時明細票ＲＦ１０１（図１１）に印字し、偽造券発見時取引内容ＪＦ１０１（図１２）に記憶させる場合について述べた。本発明はこれに限らず、装置識別番号ＭＩＤを偽造券発見時表示画面ＤＦ１０１には表示させず、又は偽造券発見時取引内容ＪＦ１０１には記憶させなくても良い。
【００６４】
さらに上述した第３の実施の形態においては、偽造券判断理由ＲＳＦを偽造券発見時表示画面ＤＦ２０１（図１３）に表示させ、偽造券発見時明細票ＲＦ２０１（図１４）に印字し、偽造券発見時取引内容ＪＦ２０１（図１５）に記憶させる場合について述べた。本発明はこれに限らず、偽造券判断理由ＲＳＦを偽造券発見時表示画面ＤＦ２０１には表示させず、又は偽造券発見時取引内容ＪＦ２０１には記憶させなくても良い。
【００６５】
さらに、装置識別番号ＭＩＤと偽造券判断理由ＲＳＦとの両方を偽造券発見時表示画面に表示させ、偽造券発見時明細票に印字し、偽造券発見時取引内容に記憶させても良い。
【００６６】
さらに上述した第３の実施の形態においては、偽造券判断理由ＲＳＦを文章で示す場合について述べた。本発明はこれに限らず、偽造券判断理由ＲＳＦを例えば係員が認識できる記号等のコードで示しても良い。
【００６７】
さらに上述した実施の形態においては、現金自動取引装置１、１０１又は２０１の筐体２内部に設けられたジャーナル部３２に記番号を記憶する場合について述べた。本発明はこれに限らず、例えばＬＡＮ（Local Area Network）を介し接続されたサーバに記番号を記憶しても良い。
【００６８】
さらに上述した実施の形態においては、ジャーナル部３２はハードディスクである電子記憶媒体に記番号を記憶する場合について述べた。本発明はこれに限らず、ジャーナル部３２は紙葉状の媒体に記番号を印字するようにしても良い。
【００６９】
さらに上述した実施の形態においては、鑑別部１８により紙幣を鑑別すると共に記番号を読み取る場合について述べた。本発明はこれに限らず、紙幣を鑑別する装置と、記番号を読み取る装置とは互いに独立した装置であっても良い。
【００７０】
さらに上述した実施の形態においては、記憶部１３に予め記憶させておいた入金処理プログラムを読み出して実行する場合について述べた。本発明はこれに限らず、例えばＵＳＢ（Universal Serial Bus）等のインタフェースやＩＥＥＥ(Institute of Electrical and Electronics Engineers)８０２．３ａｂ等のネットワーク、或いはＣＤ−ＲＯＭ（Compact Disc-Read Only Memory）等の外部記憶媒体を介して、外部から入金処理プログラムを取得して実行しても良い。
【００７１】
さらに上述した実施の形態においては、現金を取引し紙幣を鑑別部１８により鑑別し偽造券か否かを判定する現金自動取引装置１、１０１又は２０１に本発明を適用する場合について述べた。本発明はこれに限らず、例えば商品券や金券、入場券等のような薄い紙状の媒体を鑑別し、正常券か異常券かを判定する種々の装置に本発明を適用しても良い。
【００７２】
また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【００７３】
さらに上述した実施の形態においては、入金取引及び出金取引を行う現金自動取引装置１、１０１又は２０１に本発明を適用する場合について述べたが、入金取引のみを行う装置に本発明を適用しても良い。
【００７４】
さらに上述した実施の形態においては、入金部としての紙幣入出金部１６と、鑑別部としての鑑別部１８と、記番号読取部としての鑑別部１８と、提示部としての明細票発行口８又は操作表示部６とによって、現金取引装置としての現金自動取引装置１、１０１又は２０１を構成する場合について述べた。本発明はこれに限らず、その他種々の構成でなる入金部と、鑑別部と、記番号読取部と、提示部とによって現金取引装置を構成しても良い。
【産業上の利用可能性】
【００７５】
本発明は、紙幣を鑑別して偽造券が否かを判定し、紙幣の記番号を読み取る種々の装置でも利用できる。
【符号の説明】
【００７６】
１、１０１、２０１……現金自動取引装置、２……筐体、３……接客部、４……カード入出口、５……入出金口、６……操作表示部、７……テンキー、８……明細票発行口、１０、１１０、２１０……紙幣入出金機、１２、１１２、２１２……制御部、１３……記憶部、１６……紙幣入出金部、１８……鑑別部、２０……一時保留部、２４……搬送部、２６……紙幣収納庫、２８……偽券庫、３０……明細票処理部、３２……ジャーナル部、３４……ホストコンピュータ、３６……記憶部、ＤＮ……通常時表示画面、ＲＮ……通常時明細票、ＪＮ……通常時取引内容、ＪＩ１、ＪＩ１０１、ＪＩ２０１……ジャーナル情報、ＢＡ……通常時金額表示部、Ｂ１……承諾ボタン、Ｂ２……入金取消ボタン、ＢＰ……通常時明細票催促表示部、ＢＡＰ……通常時取引内容印字部、ＦＡ……偽造券発見時金額表示部、Ｂ３……入金継続ボタン、Ｂ４……入金取消ボタン、ＦＲＤ……偽造券発見表示部、ＦＤＤ……偽造券内容表示部、ＦＰＤ……偽造券発見時明細票催促表示部、ＦＡＰ……偽造券発見時取引内容印字部、ＦＲＰ……偽造券発見印字部、ＦＤＰ……偽造券内容印字部、ＦＰＰ……偽造券発見時明細票催促印字部、ＤＦ１、ＤＦ１０１、ＤＦ２０１……偽造券発見時表示画面、ＲＦ１、ＲＦ１０１、ＲＦ２０１……偽造券発見時明細票、ＪＦ１、ＪＦ１０１、ＪＦ２０１……偽造券発見時取引内容、ＭＩＤ……装置識別番号、ＲＳＦ……偽造券判断理由。
【図１】
2015166906.tif 000003
【図２】
2015166906.tif 000004
【図３】
2015166906.tif 000005
【図４】
2015166906.tif 000006
【図５】
2015166906.tif 000007
【図６】
2015166906.tif 000008
【図７】
2015166906.tif 000009
【図８】
2015166906.tif 000010
【図９】
2015166906.tif 000011
【図１０】
2015166906.tif 000012
【図１１】
2015166906.tif 000013
【図１２】
2015166906.tif 000014
【図１３】
2015166906.tif 000015
【図１４】
2015166906.tif 000016
【図１５】
2015166906.tif 000017